(57)【要約】  温度補償ベローズは、毛細管におけるインジケーターとして用いられる第１流体を収容および置換するために提供される。ベローズは、可撓性と水密性を有する材料からなるハウジングから構成される。ハウジングは、上部、下部および外側アコーディオン状部材から構成される。アコーディオン状部材は長さｌを有し、上部と下部との間に周縁に沿って密閉的に接続される。少なくとも１つの部材に、少なくとも１つの出入口が形成される。上部または下部のいずれか一方は、ベローズ内の収容容積を低減するために、アコーディオン状部材の周縁から実質的にハウジング内に延長して形成される。好適には、ハウジング内に延長する上記部材によって定義される領域に、温度補償装置が配置される。この装置は、小型のベローズと、第１流体と同等または異なる膨張率を有する第２流体が収容される貯蔵部とから構成される。装置は、毛細管における第１流体の置換にマイナスに作用するように、第２流体が膨張可能に構成される。このように、第１流体および第２流体の適切な選択によって温度補償が可能となり、幅広い温度範囲で安定的かつ正確な表示を行うことができる。【選択図】図１
2015518147.tif 000002
【特許請求の範囲】
【請求項１】
毛細管内で正確な流体表示に用いられる第１流体を収容および置換するためのベローズアセンブリであって、
ａ．収容可能な容積の流体を収容するベローズハウジングであって、該ベローズハウジングは可撓性と水密性を有する材料からなり、
（ｉ）上部と、
（ｉｉ）下部と、
（ｉｉｉ）長さｌを有し、周縁に沿って上部と下部に密閉的に接続された外側アコーディオン状部材と、
（ｉｖ）上記部材の少なくとも１つに形成された、少なくとも１つの出入口と
から構成されるベローズハウジングと、
ｂ．温度補償装置であって、
（ｉ）第２ベローズおよび貯蔵部と、
（ｉｉ）上記第２ベローズおよび貯蔵部に収容される第２流体と、
（ｉｉｉ）毛細管内で第１膨張率での膨張を誘発する第１流体の熱膨張が、第２流体の第２膨張率での膨張によって軽減されるような、第２ベローズおよび貯蔵部の支持機構と
から構成される温度補償装置とから構成されることを特徴とするベローズ。
【請求項２】
上記ハウジング内の収容容積を低減するために、上記上部または下部の少なくとも一方が、実質的にハウジング内に延長してなることを特徴とする請求項１に記載のベローズアセンブリ。
【請求項３】
上記第１および第２膨張率は同等であることを特徴とする請求項１に記載のベローズアセンブリ。
【請求項４】
上記第１および第２膨張率は実質的に異なることを特徴とする請求項１に記載のベローズアセンブリ。
【請求項５】
少なくとも外側アコーディオン状部材は真鍮からなることを特徴とする請求項１に記載のベローズアセンブリ。
【請求項６】
少なくとも外側アコーディオン状部材は銅からなることを特徴とする請求項１に記載のベローズアセンブリ。
【請求項７】
少なくとも外側アコーディオン状部材はベリリウム銅からなることを特徴とする請求項１に記載のベローズアセンブリ。
【請求項８】
少なくとも外側アコーディオン状部材は、金などの光輝塗料でコーティングが施されることを特徴とする請求項１に記載のベローズアセンブリ。
【発明の詳細な説明】
【関連出願の相互参照】
【０００１】
本出願は２０１５年３月１５日に出願された米国仮出願第６１／７９３，０１３号の便益を主張し、その全ての内容はここに参照として組み込まれる。
【著作権及び法律上の表示】
【０００２】
本特許文書に開示されるものの一部には、著作権保護の対象となる資料が含まれている。出願人は、特許商標庁の記録として特許開示されている特許文書に関しては、第三者によるファクシミリ複製に異論はないが、そうでない場合はいかなる場合も、すべての著作権を留保する。また、本願に記載される第三者の特許又は記事は、先行技術を理由として、本発明がその物件を先行する権利がないことを承認するものとして考慮すべきでない。
【背景技術】
【０００３】
本発明は、幅広い作動温度の範囲で、流体を収容し、制御性および安定性を有する方法で排出するためのベローズに関する。より詳細には、本発明は毛細管において流体を収容および排出するためのベローズに関する。
【０００４】
必要とされるのは、毛細管において１つまたはそれ以上の流体を用いて、単純な構成で、幅広い温度変動範囲を確実に補償することが可能な方法である。
【発明の概要】
【０００５】
温度補償ベローズは、毛細管におけるインジケーターとして用いられる第１流体を収容および置換するために提供される。主ベローズは、可撓性と水密性を有する材料からなるハウジングから構成される。ハウジングは、上部、下部および外側アコーディオン状部材から構成される。アコーディオン状部材は長さｌを有し、上部と下部との間に周縁に沿って密閉的に接続される。少なくとも１つの部材に、少なくとも１つの出入口が形成される。上部または下部のいずれか一方は、ベローズ内の収容容積を低減するために、アコーディオン状部材の周縁から実質的にハウジング内に延長して形成される。好適には、ハウジング内に延長する上記部材によって定義される領域に、温度補償装置が配置される。この装置は、小型のベローズと、第１流体と同等または異なる膨張率を有する第２流体が収容される貯蔵部とから構成される。装置は、毛細管における第１流体の熱膨張による置換にマイナスに作用するか、あるいは補償するように、第２流体が膨張可能となるように構成される。このように、第１流体および第２流体の適切な選択によって温度補償が可能となり、幅広い温度範囲で（通常は、毛細管内の流体のメニスカスが用いられる）安定的かつ正確な表示を行うことができる。
【０００６】
本発明の目的は、単純な構成で、幅広い温度変動範囲を確実に補償できるような、毛細管内で１つの流体を用いた表示を可能にすることである。
【０００７】
本発明の別の目的は、メニスカスの表示精度を向上するために、流体と熱補償を備えた２つの主要なベローズの使用を可能にすることである。
【図面の簡単な説明】
【０００８】
【図１】時刻表示に適用される本発明の平面図の部分断面図を示す。
【図２】本発明の断面図を示す。
【図３】本発明の分解図を示す。
【図４Ａ】本発明の温度補償ベローズサブアセンブリの側面図を示す。
【図４Ｂ】本発明の温度補償ベローズサブアセンブリの平面図を示す。
【図４Ｃ】本発明の温度補償ベローズサブアセンブリの断面図を示す。
【図５Ａ】本発明の温度補償ベローズに用いられる主ベローズの斜視図を示す。
【図５Ｂ】本発明の温度補償ベローズに用いられる主ベローズの平面図を示す。
【図５Ｃ】本発明の温度補償ベローズに用いられる主ベローズの部分断面図を示す。
【図６】本発明のベローズ本体内に延長すると共に、補償ベローズサブアセンブリが内部に取り付けられる、主ベローズの一部の断面図を示す。
【図７Ａ】本発明の補償ベローズサブアセンブリの底キャップの斜視図を示す。
【図７Ｂ】本発明の補償ベローズサブアセンブリの底キャップの平面図を示す。
【図７Ｃ】本発明の補償ベローズサブアセンブリの底キャップの断面図を示す。
【図８】本発明の補償ベローズサブアセンブリの封止ピンの側面図を示す。
【図９】本発明の補償ベローズサブアセンブリの補償ベローズの側面図を示す。
【図１０Ａ】本発明の補償ベローズサブアセンブリのトップキャップの斜視図を示す。
【図１０Ｂ】本発明の補償ベローズサブアセンブリのトップキャップの平面図を示す。
【図１０Ｃ】本発明の補償ベローズサブアセンブリのトップキャップの断面図を示す。
【図１１】本発明の補償ベローズサブアセンブリの目的である、ストローク補償の表を示す。
【図１２】本発明の温度補償ベローズサブアセンブリの代案的な実施例の断面図を示す。
【図１３】図１２で示される温度補償ベローズの代案的な実施例の分解図を示す。
【図１４Ａ】本発明の第１実施例の断側面図を示す。
【図１４Ｂ】本発明の部品のホールパターンを示す部分的な平面図である。
【図１５】本発明の第２実施例の断面図を示す。
【図１６】本発明の第４実施例の断面図を示す。
【０００９】
図面に示される要素は単純化及び明確性のために開示され、必ずしも縮尺で描かれていないことは、当業者には明らかである。例えば、本発明の様々な実施形態の理解をより深めるために、図面のいくつかの要素の寸法は、その他の要素に対して強調して描かれていることもある。さらに、本件で用いられる「第１」、「第２」やその類の用語は、とりわけ、類似する要素を区別するために使用され、必ずしも順次的または時系的な順番を示すものではない。また、明細書および／または請求項における「正面」、「背面」、「上部」、「底部」やその類の用語は、便宜的な目的で使用され、必ずしも限定的な相対位置を総合的に表わすものではない。上記のように用いられる用語は、例えば本願で開示される様々な実施形態が、明確に図示又は説明される以外の構成および／または配向でも操作可能であるような、適切な状況下では置き換えられてもよいことを当業者は理解されたい。
【好適な実施形態の詳細な説明】
【００１０】
以下の説明は、本質的に例示的であり、本願が出願された時点で発明者が知り得た本発明の最良の態様を説明するもので、本発明の範囲をいかなる意味でも制限するものではない。その結果として、本願で開示される例示的な実施形態におけるすべての要素の配置および／または機能は、本願発明の精神および範疇から逸脱することなく変更を加えることが可能である。
【００１１】
図１および図２を参照すると、予測可能な温度変動の範囲において、毛細管２０内の流体１６のメニスカス１４の位置を維持するために、本発明の温度補償装置１２が設けられたシステム１０の平面図が開示される。本発明１２は、参照することで本件に組み込まれるＷＯ２０１１／０２１０９７Ａ４や、２０１１年１２月６日に出願された米国暫定特許出願第６１／５６７，４９７などに記載される、流体を使用した時計（ｆｌｕｉｄ  ｗａｔｃｈ）における流体インジケーターのメニスカス１４の制御に、特に適用可能である。本発明の装置１２は、その他の適用も想定可能である。しかし、例示的な実施例として、本発明は、腕時計や壁掛け時計における時刻の表示に適用される。
【００１２】
図からわかるように、流体１６は毛細管２０に進入すると、所定の割合で軸部（ｓｔｅｍ）を上げる時計機構と組み合わさることで、そのメニスカス１４によって時刻（９時、１２時、３時および６時）を表示する。非常に大きい温度変化がある場合、メニスカス１４の位置に不正確さが生じる。以下に説明される温度補償サブシステムは、大きな温度変化があっても、より信頼性の高い時刻表示を行うために、温度変化によって誘発される誤差を軽減する。実際には、本発明のサブシステムを用いると、１つの流体１６のみの使用で事足りるため、毛細管２０には開口端（図示なし）が備えられてもよく、全体とした機構部をより単純化することができる。
【００１３】
特に図２を参照すると、温度補償装置１２は、ピストン２２と、トップキャップ２４と、小ベローズ２６と、大ベローズ３４の内部に配置される凹状キャップ３２と接触する底キャップ３０と、封止ピン３６とを含んでなる。図３に最もよく図示されるピストン２２には軸部４０が備わってなり、該軸部は温度補償ベローズサブアセンブリ１２が内部に取り付けられる分割型カップ４２に接続する。
【００１４】
次に図４Ａから４Ｃを参照すると、温度補償ベローズサブアセンブリ１２は、トップキャップ２４、小ベローズ２６、底キャップ３０および封止ピンを備えてなる。トップキャップ２４、小ベローズ２６および底キャップ３０は、封止ピン３６が所定の位置にあるとき、補償する流体４６を収容するのに適した内部容積４４を形成するように、レーザー溶接またはその他の周知の方法で封着される。トップキャップ２４は、ピストン２２のカップ４２の分割部５４に向かって延長し、その表面５６に当接する３つのタング部５０または部分フランジを有する。底キャップ３０は、ピストン２２のカップ４２の端面６０と接触するように延長する３つのタング部５２を有する。このような構成によって、大ベローズ３４の外側の凹状カップ３２のタング部６２との温度補償接触面が形成される。各部品の適正なサイジングを行うと共に、適切な補償流体４６を選択することによって、本発明の温度補償ベローズサブアセンブリ１２が温度変動による影響を軽減することが可能となる。
【００１５】
次に図５Ａから図５Ｃを参照すると、毛細管２０内の正確な流体表示に用いられる流体の収容および置換のために、大ベローズ３４が備えられる。ベローズ３４は、可撓性および水密性を有する材料からなるハウジング７０から構成される。ハウジング７０は主要な貯蔵部７２を包囲し、外側凹状キャップ３２、下部７４および外側のアコーディオン状部材７６から形成される。アコーディオン状部材７６は長さｌを有し、凹状キャップ３２と下部７４の間で周縁２２および２４に沿って密閉的に接続される。少なくとも１つの部品には、少なくとも１つの出入口が形成される。上部３２または下部７４のいずれか一方は、ベローズ内の収容容積を低減する凹部を形成するために、アコーディオン状部材の周縁８０、８２から実質的にハウジング７０内に延長して形成される。弛緩状態では、ベローズ３４は潰れた状態をとる。
【００１６】
次に図６を参照すると、底キャップ３０のタング部５２が接触する、上部３２に形成されたタング部６２が、より詳細に図示される。上部には底部が備わり、該底部から円柱状の壁部がフランジへと延長してなる。タング部６２は、円柱状の壁部の内径側に、壁部の周方向に完全に延長せずに形成される。
【００１７】
次に図７Ａから図７Ｃを参照すると、底キャップ３０がより詳細に図示される。軸上に配置された中央の孔部に、封止ピン３６を受けるように形成される。タング部５２は底部から延長し、周囲の約６０度を包囲するように形成される。小ベローズ２６の下側リップ部は、底キャップ３０の下側面と密閉的に接触する。
【００１８】
次に図８を参照すると、封止ピン３６がより詳細に図示される。封止ピン３６は、円柱状で、底キャップ３０の孔部に対してより良好に封止を行うためにテーパー状に形成される。
【００１９】
次に図９を参照すると、アコーディオン状部材９０を備える小ベローズ２６が、より詳細に図示される。
【００２０】
次に図１０Ａから図１０Ｃを参照すると、トップキャップ２４がより詳細に図示される。上部には底部が備わり、該底部から円柱状の壁部がタング部５０まで延長してなる。タング部５０は、その周囲の約６０度を延長してなる。
【００２１】
次に図１１を参照すると、一実施例において、本発明の温度補償ベローズサブアセンブリ１２は、作動範囲における摂氏−２０度から７０度の温度変動を正確に補償するために、ストローク補償曲線に近似する。ピストン２２の変位率に対する温度は、摂氏１度当たり約３．６５マイクロメーターである。安全な動作のために、ベローズ２６に使用される流体４６は無毒性のものでなければならない。
【００２２】
次に図１２および図１３を参照すると、温度補償ベローズシステム１３０には温度補償サブシステム１３２が備わってなる。温度補償サブシステム１３２は、円柱状のケーシング４０が形成される一次支持フランジ１３６を有する変形した軸部１３４を備える。円柱ケーシング１４０はレリーフ１４２を有する。キャップ１４４は円柱ケーシング１４０を跨ぎ、該部品に接着または溶接される。凹部４４は、小型のベローズ１４６を中心として、該部品を受けるように形成され、小型ベローズは、主ベローズのベローズ接触タブ１５４に係合する、均等に配置された２つまたはそれ以上のタング部１５２を有するフランジ１５０に、溶接または接着される。補助ハウジング１５６は、小型ベローズ１４６に溶接または接着されると共に、貯蔵部１６０を形成するように流体連通してなる。作動において、本発明１３０は、ベローズ１１０内の第１流体１６の熱膨張による影響に対抗することで、毛細管１２０におけるメニスカス１６２（図１を参照）の位置の不正確さを軽減する。このような対抗または軽減効果は、第１流体１６６の熱膨張を補償する上で必要な、選択された膨張率を有する第２流体１７０を、貯蔵部１６０に配置することで達成可能となる。
【００２３】
次に図１４Ａを参照すると、別の実施例１８０において、別の温度補償サブシステム１８２は、軸部１８６に取り付けられた第１フランジ１８４を有する。第１フランジ１８４には、第２フランジ１９４からキャップ１９６まで孔部１９２を通って延長してなる、少なくとも２つのスタンドオフ１９０が取り付けられる。第２フランジ１９４には、ベローズ接触タブ１５４と接触する、少なくとも２つのタング部１１００が形成されてなる。小型ベローズ１１０２は、キャップ１９６と第２フランジ１９４の間に密閉的に捕捉され、第２流体１１０４を収容する。プラグ１１０６は、小型ベローズ１１０２に包囲された貯蔵部１１１０の充填を可能にする。作動において、熱の影響によって第２流体１１０４が膨張することで、第１流体１６６の熱膨張効果が軽減される。図１４Ｂは、プレート１９４における、ピン１９０のための穴部１９２を概念的に示す。
【００２４】
以下は、流体としてエタノールを選択した場合の熱膨張の計算例である。参照するとわかるように、主要な貯蔵部と補償する貯蔵部１１８および１１１０のそれぞれの容積および形状が同等である場合、第１流体１６６と第２流体１１０４には同じ流体が用いられてもよい。さらに、熱膨張の値が大幅に異なる流体が流体１６６および１１０４として用いられる場合、貯蔵部の容積および形状は大きく異なることもある。
【００２５】
以下が計算例である。
【００２６】
【数１】
2015518147.tif 000003
【００２７】
図１５を参照すると、流体の代わりに適切な熱膨張率を有する材料を用いた、代案的なサブシステム１１２２を有する、さらに別の実施例１１２０が開示される。この例では、第１フランジキャップ１１２４は、一方で軸部１１２６と接触し、もう一方で他端ではベローズ１１０と接触する第２フランジキャップ１１３０と接触する。第１および第２フランジキャップ１１２４、１１２６は、第１流体１１６の熱膨張によって誘発される表示エラーを補償するように選択された熱膨張率を有する材料から形成される。
【００２８】
次に図１６を参照すると、前実施例と同一だが、軸部１４４と第２フランジキャップ１２４の間にさらなるキャップ１４２が備えられた、また別の形態１４０が開示される。
【００２９】
大幅に異なる熱膨張率を有する材料（インバーとＰＶＣ）を用いた場合、計算例からは、以下の値が算出される。
【００３０】
【数２】
2015518147.tif 000004
【００３１】
上記計算は理想的な条件が想定される状況における概算であることを留意されたい。さらに、その他の部品の効果は考慮されていないが、表示メニスカスの最終的な位置に影響を及ぼす。また、その他の要素の熱膨張、幾何的変形、材料の可撓性、公差および安全性要素は考慮されていない。
【００３２】
一実施例では、ベローズは真鍮から形成される。
【００３３】
一実施例では、ベローズは銅から形成される。
【００３４】
一実施例では、ベローズはベリリウム銅から形成される。
【００３５】
ベローズは、任意的に金などの光輝塗料によるコーティングが施されてもよい。
【００３６】
以下の説明は本発明の例示的な実施形態であり、発明者にとっての最適な仕様の概念を表しており、いかなる場合も本発明の範囲、適用、構成を限定することを意図したものではない。
【００３７】
当業者には理解されるように、本願発明はシステム、装置または方法として実施することも可能である。
【００３８】
また、本願のシステムは、本願と同様の機能を有するすべての物品、サービスまたは情報の使用、販売および／または流通を意図したものである。
【００３９】
本願の明細書および図面は限定するためではなく例示的なものとして理解されたく、本願で説明されるすべての改良は、例えそれが出願時に明確に請求されていない場合でも、本願の請求する発明の範囲に包含されることを意図される。従って、本願発明の範囲は、上記された単なる例示案からではなく、添付される請求項（または後で補正あるいは追加される請求項、またはそれに法的に相当する物）によって判断されるべきである。すべての方法または工程の請求項で記載されるステップは、特に記載のない限りどの順番であっても実行可能であり、請求項に記載される特定の順番に限定されるものではない。さらに、装置の請求項で記載される要素および／または部品は、本願と本質的に同様の成果をもたらす様々な置換で組立または操作的に構成されることも可能である。総じて、本願発明は請求項で記載される特定の構成に限定されるものではない。
【００４０】
本願で記載される便益、利点や解決法は、請求項の必須、重要または不可欠な特徴または要素であると考慮されるべきではない。
【００４１】
本願で用いられる「からなる」、「から構成される」やその他の同様の言い回しは、要素の非限定的な一覧を表すために用いられ、その要素一覧から構成される本発明の工程、方法、物品、構成または装置は記載される要素のみを含むわけではなく、本明細書に記載されるその他の要素を含むことも可能である。また、「を含む」、「を含んでなる」または「本質的に含む」といった言い回しは、別段に指定のない限り、列挙される要素のみに発明の範囲を限定する意図で用いられるものではない。本発明の実施に用いられる上記された要素、材料または構造の組み合わせまたは改良は、本発明の一般原則から逸脱することなく、当業者によってその他の設計に変更または適応することも可能である。
【００４２】
上記で挙げられた特許及び文献は、別段の記載のない限り、本開示に反しない範囲において、参照することにより本件に組み入れられる。
【００４３】
本発明の他の特徴及び実施形態は、添付の請求項において説明される。
【００４４】
さらに、本発明は、新規性、進歩性及び産業上の利用性を具備すると考慮される本明細書、添付の請求項及び／又は図面において説明された全ての特徴の可能な全ての組み合わせから構成されることを考慮されたい。
【００４５】
著作権は本出願人又はその譲受人によって所有され、１つ又は複数の請求項で定義される権利の第三者へのライセンスに関しては、その他の請求項で定義される発明を使用する黙示的なライセンスは許可されていない。さらに、公衆又は第三者に対して、添付物を含む本特許明細書明を基にした二次的著作物及びいかなるコンピュータピログラムも、それを作成する明示的又は黙示的なライセンスは許可されていない。
【００４６】
上述された発明の実施形態において、様々な変更及び改良を加えることが可能である。本発明の、特定の具体的な実施形態が開示及び説明されたが、幅広い改良、変更及び置換が上述の実施形態では考慮される。上記の説明には多くの特定事項が含まれるが、発明の範囲を限定するものとしてではなく、むしろ１つ又はその他の好適な実施形態の例示であると考慮されたい。場合によっては、本発明のいくつかの特徴は、対応する他の特徴を使用することなく用いられる。従って、上述の説明は広義に解釈され、単なる実例又は例示として理解され、本発明の精神及び範囲は本出願で最終的に発行される請求項によってのみ限定されるべきである。
【図１】
2015518147.tif 000005
【図２】
2015518147.tif 000006
【図３】
2015518147.tif 000007
【図４Ａ】
2015518147.tif 000008
【図４Ｂ】
2015518147.tif 000009
【図４Ｃ】
2015518147.tif 000010
【図５Ａ】
2015518147.tif 000011
【図５Ｂ】
2015518147.tif 000012
【図５Ｃ】
2015518147.tif 000013
【図６】
2015518147.tif 000014
【図７Ａ】
2015518147.tif 000015
【図７Ｂ】
2015518147.tif 000016
【図７Ｃ】
2015518147.tif 000017
【図８】
2015518147.tif 000018
【図９】
2015518147.tif 000019
【図１０Ａ】
2015518147.tif 000020
【図１０Ｂ】
2015518147.tif 000021
【図１０Ｃ】
2015518147.tif 000022
【図１１】
2015518147.tif 000023
【図１２】
2015518147.tif 000024
【図１３】
2015518147.tif 000025
【図１４Ａ】
2015518147.tif 000026
【図１４Ｂ】
2015518147.tif 000027
【図１５】
2015518147.tif 000028
【図１６】
2015518147.tif 000029
【手続補正書】
【提出日】平成25年12月23日(2013.12.23)
【手続補正１】
【補正対象書類名】特許請求の範囲
【補正対象項目名】全文
【補正方法】変更
【補正の内容】
【特許請求の範囲】
【請求項１】
毛細管内で正確な流体表示に用いられる第１流体を収容および置換するためのベローズアセンブリであって、
ａ．収容可能な容積の流体を収容するベローズハウジングであって、該ベローズハウジングは可撓性と水密性を有する材料からなり、
（ｉ）上部と、
（ｉｉ）下部と、
（ｉｉｉ）長さｌを有し、周縁に沿って上部と下部に密閉的に接続された密閉継目を備える外側アコーディオン状部材と、
（ｉｖ）上記部材の少なくとも１つに形成された、少なくとも１つの出入口と
から形成されるベローズハウジングと、
ｂ．温度補償装置であって、
（ｉ）第２ベローズおよび貯蔵部と、
（ｉｉ）上記第２ベローズおよび貯蔵部に収容される第２流体と、
（ｉｉｉ）毛細管内で第１膨張率での膨張を誘発する第１流体の熱膨張が、第２流体の第２膨張率での膨張によって軽減されるような、第２ベローズおよび貯蔵部の支持機構と
から構成される温度補償装置と、
ｃ．上記ベローズに取り付けられ、流体量を示すメニスカスが可視できるように流体が内部を連通する毛細管と
から構成されることを特徴とするベローズ。
【請求項２】
上記ハウジング内の収容容積を低減するために、上記上部または下部の少なくとも一方が、実質的にハウジング内に延長してなることを特徴とする請求項１に記載のベローズアセンブリ。
【請求項３】
上記第１および第２膨張率は同等であることを特徴とする請求項１に記載のベローズアセンブリ。
【請求項４】
上記第１および第２膨張率は実質的に異なることを特徴とする請求項１に記載のベローズアセンブリ。
【請求項５】
少なくとも外側アコーディオン状部材は真鍮からなることを特徴とする請求項１に記載のベローズアセンブリ。
【請求項６】
少なくとも外側アコーディオン状部材は銅からなることを特徴とする請求項１に記載のベローズアセンブリ。
【請求項７】
少なくとも外側アコーディオン状部材はベリリウム銅からなることを特徴とする請求項１に記載のベローズアセンブリ。
【請求項８】
少なくとも外側アコーディオン状部材は、金などの光輝塗料でコーティングが施されることを特徴とする請求項１に記載のベローズアセンブリ。
【国際調査報告】
2015518147.tif 000030
2015518147.tif 000031